(57)【要約】【課題】内部の埃の除去が容易であると共に放熱効率が向上した電子機器を提供する。【解決手段】ノートパソコン１は、筐体１０と、筐体１０に収納される放熱フィン４０と、筐体１０に収納され放熱フィン４０を冷却する冷却ファン３０とを備え、筐体１０は、内部の埃を排出するための排出口１５を有し、放熱フィン４０及び冷却ファン３０は、互いに対向する縁部４１及び縁部３７をそれぞれ有し、縁部４１及び縁部３７の間隔は、排出口１５から離れるに従って狭くなる。詳細には、縁部３７は、鉛直方向に沿い、縁部４１は、縁部３７に対して傾斜している。【選択図】図５
2010086053.tif 000002
【特許請求の範囲】
【請求項１】
筐体と、
前記筐体に収納される放熱フィンと、
前記筐体に収納され前記放熱フィンを冷却する冷却ファンとを備え、
前記筐体は、内部の埃を排出するための排出口を有し、
前記放熱フィン及び冷却ファンは、互いに対向する放熱フィン側縁部及び冷却ファン側縁部をそれぞれ有し、
前記放熱フィン側縁部及び冷却ファン側縁部の間隔は、前記排出口から離れるに従って狭くなる、ことを特徴とする電子機器。
【請求項２】
前記冷却ファン側縁部は、鉛直方向に沿い、
前記放熱フィン側縁部は、前記冷却ファン側縁部に対して傾斜している、ことを特徴とする請求項１に記載の電子機器。
【請求項３】
前記排出口を塞ぐ蓋を備えている、ことを特徴とする請求項１又は２に記載の電子機器。
【請求項４】
前記蓋は、前記冷却ファンによる送風を前記放熱フィンへと案内するガイド部を有している、ことを特徴とする請求項３に記載の電子機器。
【発明の詳細な説明】
【技術分野】
【０００１】
本発明は電子機器に関し、特に放熱フィン及び冷却ファンを備えた電子機器に関する。
【背景技術】
【０００２】
電子機器には、筐体内に、放熱フィンと、放熱フィンを冷却する冷却ファンとを収納したものが知られている。また、放熱フィンと冷却フィンとの間に、埃を集塵するための集塵部材を設け、筐体に集塵部材の交換用の開口部を設けた電子機器が知られている（特許文献１参照）。
【０００３】
【特許文献１】特開２００７−１８９１８３号公報
【特許文献２】特開平２−３０１１９２号公報
【発明の開示】
【発明が解決しようとする課題】
【０００４】
放熱フィンと冷却フィンとを接近して配置した場合には、放熱フィンの面積を大きくすることができ、放熱効率は向上する。しかしながら、放熱フィンと冷却フィンとの隙間に溜まった埃は除去しにくい。
また、放熱フィンと冷却フィンとの間に集塵部材を設けた場合には、集塵部材が冷却ファンからの送風の抵抗となり、放熱フィンの放熱効率が低下する恐れがある。また、集塵部材を設けることによって、放熱フィンの面積が小さくなり、放熱効率が更に低下する恐れがある。
【０００５】
そこで本発明は上記の課題に鑑みてなされたものであり、内部の埃の除去が容易であると共に放熱効率が向上した電子機器を提供することを目的とする。
【課題を解決するための手段】
【０００６】
上記課題を解決するために、本明細書開示の電子機器は、筐体と、前記筐体に収納される放熱フィンと、前記筐体に収納され前記放熱フィンを冷却する冷却ファンとを備え、前記筐体は、内部の埃を排出するための排出口を有し、前記放熱フィン及び冷却ファンは、互いに対向する放熱フィン側縁部及び冷却ファン側縁部をそれぞれ有し、前記放熱フィン側縁部及び冷却ファン側縁部の間隔は、前記排出口から離れるに従って狭くなる。
【０００７】
放熱フィン側縁部及び冷却ファン側縁部の間隔は、排出口から離れるに従って狭くなるので、前記排出口の手前側での両者の間隔は広く、前記排出口の奥側での両者の間隔は狭い。これにより、排出口からの掃除具の挿入が容易となり、放熱フィンに付着した埃の除去も容易となる。
【０００８】
また、放熱フィン側縁部が前記排出口から離れるほど前記冷却ファン側縁部に接近するので、放熱フィンの面積を確保することができる。従って、放熱フィンの放熱効率が向上する。
【発明の効果】
【０００９】
内部の埃の除去が容易であると共に放熱効率が向上した電子機器を提供できる。
【発明を実施するための最良の形態】
【００１０】
以下、本発明の一実施形態について図面を参照して説明する。
図１は、ノートパソコン（ノート型パーソナルコンピュータ）１の斜視図である。ノートパソコン１は、電子機器に相当する。ノートパソコン１は、本体側の筐体１０、ディスプレイ側の筐体２０を有している。図１は、筐体１０、２０が開いた状態でのノートパソコン１を示している。筐体１０には、キーボード１１、ポインティングデバイス１２が組み込まれている。筐体２０には、ディスプレイ２１が組み込まれている。筐体１０は、後述する放熱フィン及び冷却ファンを収納する筐体に相当する。
【００１１】
図２は、筐体１０の底面図である。筐体１０の底面側には、複数の箇所に吸気口１７が設けられている。冷却ファンの作動によって、吸気口１７を介してノートパソコン１の外部から筐体１０の内部へと空気が導入される。また、図２に示すように、筐体１０の底面側には、蓋５０が設けられている。また、筐体１０の一側面には排気口１４が形成されている。筐体１０の内部へと導入された空気は、排気口１４から外部へと排出される。
【００１２】
図３は、図２のＡ−Ａ断面図である。図３に示すように、冷却ファン３０及び放熱フィン４０は、互いに対向した状態で筐体１０内に収納されている。また、筐体１０は、キーボード１１、ポインティングデバイス１２などが配置される上壁部１８、筐体１０の底面となる下壁部１９を有している。下壁部１９には、排出口１５が形成されている。排出口１５には、蓋５０が配置されている。蓋５０については、図３において簡略化して示している。排出口１５は、冷却ファン３０及び放熱フィン４０が対向する位置付近に形成されている。排出口１５は、筐体１０内部の埃、特に放熱フィン４０に付着した埃を外部へと排出するためのものである。
【００１３】
図４は、筐体１０内に収納される冷却ファン３０及び放熱フィン４０の正面図である。尚、図４には、排気口１４周辺の下壁部１９の断面を模式的に示している。冷却ファン３０は、ハウジング３１、吸気用開口３２、ファン３４を含む。ハウジング３１は、吸気用開口３２、ファン３４等を内部に収納している。吸気用開口３２は、ハウジング３１に形成されている。外部の空気は、吸気用開口３２を介してハウジング３１内へと導入される。ファン３４は、筐体１０内に回転自在に収納され、回転体３５、羽根車３６を含む。ファン３４の回転により、外部の空気が吸気用開口３２を介してハウジング３１内へと導入されて、放熱フィン４０へ向けて送り出される。
【００１４】
放熱フィン４０は、互いに平行に配置された複数のフィン４４を有している。放熱フィン４０は、図示しないＣＰＵ（Central Processing Unit）やビデオチップからの熱が伝達される。冷却ファン３０からの送風は、フィン４４の間を通過して、排気口１４を介して外部へと排出される。これにより、放熱フィン４０が冷却され、放熱が促進される。
【００１５】
冷却ファン３０は、冷却ファン側縁部に相当する縁部３７を有している。放熱フィン４０は、放熱フィン側縁部に相当する縁部４１を有している。縁部３７及び縁部４１は、互いに対向している。図５は、互いに対向する縁部３７、４１周辺の拡大図である。図５（Ａ）に示すように、縁部３７と縁部４１との間隔は、排出口１５から離れるに従って狭くなる。縁部３７は、鉛直方向に沿うように形成されている。一方、縁部４１は、排出口１５から離れるに従って縁部３７に接近する。即ち、縁部４１は、排出口１５から離れるに従って縁部３７に接近するように傾斜している。換言すれば、冷却ファン３０と放熱フィン４０との間隔Ｃは、排出口１５手前側（下壁部１９側）の方が広く、排出口１５の奥側（上壁部１８側）の方が狭くなっている。
【００１６】
図５（Ｂ）は、縁部４１に付着した埃の除去作業の説明図である。筐体１０内に導入された空気中には、埃が含まれており、この埃が縁部４１へと付着することになる。図５（Ｂ）には、縁部４１に付着した埃Ｄを図示している。埃Ｄの付着を放置すると、放熱フィン４０の放熱効率が低下する恐れがある。そこで、ユーザは、埃Ｄの除去作業を行う必要がある。ユーザは、まず、排出口１５から蓋５０を取り外して、例えば綿棒などの掃除具を、排出口１５から矢印の方向に差し込んで縁部４１に付着した埃Ｄを除去する。これにより、放熱フィン４０の放熱効率の低下を抑制できる。
【００１７】
また、間隔Ｃは、排出口１５の奥側よりも排出口１５手前側の方が広いため、掃除具の挿入が容易である。また、縁部４１は、排出口１５から離れるに従って縁部３７に接近するように傾斜しているので、縁部４１に付着した埃Ｄの視認が容易となる。特に、排出口１５の奥側にある埃Ｄの視認が容易となる。
【００１８】
また、排出口１５を塞ぐ蓋５０が設けられているので、埃の除去作業以外の時には、排出口１５に蓋５０を取り付けることにより、冷却ファン３０による送風が排出口１５から排出されることを防止できる。これにより、放熱フィン４０の放熱効率の低下が抑制される。
【００１９】
次に、本実施例に係るノートパソコン１について、従来のノートパソコンと比較して説明する。図６は、本実施例に係るノートパソコン１と、従来のノートパソコンとの比較図である。図６（Ａ）は、本実施例に係るノートパソコン１の筐体１０の断面図であり、図３と同様の図である。図６（Ｂ）、（Ｃ）は、それぞれ、従来のノートパソコンの筐体１０ｘ、筐体１０ｙの断面図である。尚、従来のノートパソコンについて、本実施例と類似の箇所については類似の符号を付することによりその説明を省略する。
【００２０】
図６（Ｂ）に示すように、従来の縁部３７ｘ、４１ｘは、図６（Ａ）に示した本実施例に係る縁部３７、４１と異なり、間隔をほぼ有さずして対向している。また、縁部３７ｘ、４１ｘは、略平行となっている。図６（Ａ）、（Ｂ）に示すように、縁部３７と縁部３７ｘとはほぼ同じ位置にあるのに対し、従来の縁部４１ｘは、縁部４１と縁部３７との間隔よりも、縁部３７ｘにより近い位置にある。このため、従来の放熱フィン４０ｘの各フィン４４ｘの面積は、本実施例の放熱フィン４０の各フィン４４の面積よりも大きい。従って、本実施例に係る放熱フィン４０よりも従来の放熱フィン４０ｘの方が放熱効率がよいことになる。
【００２１】
しかしながら、縁部３７ｘと縁部４１ｘとがほぼ間隔を有さずして対向しているので、縁部３７ｘと縁部４１ｘとの間に、埃を除去するための掃除具を差し込むことができない。このため、縁部４１ｘに付着した埃を除去することができないという問題点がある。埃の堆積を放置すると、発火の原因となる恐れを否定できない。
【００２２】
図６（Ｃ）に示すように、冷却ファン３０ｙと放熱フィン４０ｙとの間には、集塵部材であるフィルタ５０ｙを配置している。フィルタ５０ｙは、冷却ファン３０ｙによって送風される空気中に含まれる埃を捕獲する。フィルタ５０ｙは、開口１５ｙに対して着脱可能である。ユーザは、定期的にフィルタ５０ｙを筐体１０ｙから取り外して、フィルタ５０ｙに付着した埃を除去することができる。しかしながら、通常使用時は、冷却ファン３０ｙと放熱フィン４０ｙとの間にフィルタ５０ｙが配置されるので、フィルタ５０ｙが冷却ファン３０ｙからの送風の抵抗となる。この抵抗により、放熱フィン４０ｙの放熱効率が低下する。また、フィン４４ｙの面積を縮小することにより、フィルタ５０ｙのスペースを確保している。従って、放熱フィン４０ｙの放熱効率が更に低下する。
【００２３】
しかしながら、図６（Ａ）に示すように、本実施例に係る縁部３７、４１は、掃除具の挿入が可能な程度の間を有するように設定されている。これにより、縁部４１に付着した埃の除去作業の容易となる。また、筐体１０は、筐体１０ｙと異なり、送風の抵抗の要因となるフィルタを設けていないため、放熱フィン４０の放熱効率を確保できる。また、縁部４１は、縁部４１ｙと異なり、排出口１５から離れるに従って縁部３７に接近するので、フィン４４の面積を確保でき、放熱効率が向上する。
【００２４】
次に、蓋５０について説明する。図７は、蓋５０の説明図である。図７（Ａ）は、蓋５０の斜視図、図７（Ｂ）は、蓋５０の正面図である。蓋５０は、基部５１、５２、ガイド部５５ａ、５５ｂを有している。基部５１、５２は、それぞれ薄板状に形成され、互いに沿うように配置されている。蓋５０が排出口１５に挿入された際には、基部５１が露出する。ガイド部５５ａ、５５ｂは、基部５１、５２の両端部にそれぞれ設けられている。ガイド部５５ａ、５５ｂは、基部５１、５２に対して略垂直に延在している。ガイド部５５ａ、５５ｂには、それぞれ係止部５６ａ、５６ｂが形成されている。係止部５６ａ、５６ｂは、蓋５０を排出口１５へ挿入したときに筐体１０に係止される。
【００２５】
排出口１５に蓋５０が挿入された際には、ガイド部５５ａ、５５ｂは、図４に示すように、放熱フィン４０の両最外部に配置されたフィン４４を挟むように位置する。これにより、冷却ファン３０による送風が、放熱フィン４０の外側に漏れることを抑制でき、冷却ファン３０による送風を放熱フィン４０へと案内することができる。これにより、放熱フィン４０の放熱効率が向上する。
【００２６】
以上本発明の好ましい一実施形態について詳述したが、本発明は係る特定の実施形態に限定されるものではなく、特許請求の範囲に記載された本発明の要旨の範囲内において、種々の変形・変更が可能である。
例えば、蓋５０は係止部５６ａ、５６ｂではなく、ツメやネジ止めなどの他の方法によって筐体１０に取り付けられてもよい。
また、蓋５０とガイド部５５ａ、５５ｂが一体ではなく、蓋とガイドが別部品であってもよい。この場合、まずガイドが冷却ファン３０、放熱フィン４０または筐体１０に取り付けられる構造を採り、その後に蓋が筐体１０に取り付けられる構造を採ればよい。
【図面の簡単な説明】
【００２７】
【図１】ノートパソコンの斜視図である。
【図２】本体側の筐体の底面図である。
【図３】図２のＡ−Ａ断面図である。
【図４】筐体内に収納される冷却ファン及び放熱フィンの正面図である。
【図５】互いに対向する縁部周辺の拡大図である。
【図６】本実施例に係るノートパソコンと、従来のノートパソコンとの比較図である。
【図７】蓋の説明図である。
【符号の説明】
【００２８】
１  ノートパソコン
１０  筐体
１５  排出口
３０  冷却ファン
４０  放熱フィン
５０  蓋  
５５ａ、５５ｂ  ガイド部
【図１】
2010086053.tif 000003
【図２】
2010086053.tif 000004
【図３】
2010086053.tif 000005
【図４】
2010086053.tif 000006
【図５】
2010086053.tif 000007
【図６】
2010086053.tif 000008
【図７】
2010086053.tif 000009